(57)【要約】【課題】メンテナンス性に優れた空気調和機を提供する。【解決手段】空気調和機において、筐体３０の側板３０ｄに、フィルタ、電装ボックス及び熱交換ユニットのメンテナンスエリアを望む開口５５、５７及び５８を設ける共に、筐体３０の天板３２を開閉可能に構成して送風ユニット３６のメンテナンスエリアを臨むようにした。【選択図】      図４
2004301424.tif 000002
【特許請求の範囲】
【請求項１】
略箱形の筐体内に、吸入口から吸い込まれた空気の粉塵を捕集するフィルタと、該吸入口から吹出口に向けて空気を流すためのファン及びファンモータを含む送風ユニットと、該空気との間で熱交換を行うための熱交換器、メカ弁及びドレンパンを含む熱交換ユニットと、電装ボックスとを備えた空気調和機において、
前記筐体の側板には、前記フィルタ、前記熱交換ユニット及び前記電装ボックスのメンテナンスエリアに対応した位置に開口が設けられ、
この開口には、当該開口を閉じる蓋が設けられ、
前記筐体の上面には、取り外し可能な天板が設けられ、この天板が開けられると前記送風ユニットのメンテナンスエリアを臨むように構成したことを特徴とする空気調和機。
【請求項２】
前記筐体の両端にローラが設けられる一方、前記天板に前記各ローラに嵌る円弧溝が設けられ、
前記天板は、いずれか一方の円弧溝側が持ち上げられると、他方の円弧溝側が前記ローラに案内されて開閉されることを特徴とする請求項１に記載の空気調和機。
【請求項３】
前記筐体は、前記側板が取り付けられるフレームを備え、このフレームには、前記フィルタを側方に引き出すための溝が設けられていることを特徴とする請求項１又は２に記載の空気調和機。
【請求項４】
前記フレームには、さらに、前記電装ボックスを側方に引き出すための溝が設けられていることを特徴とする請求項３に記載の空気調和機。
【請求項５】
前記筐体には、前記側板の内側に位置する仕切板が設けられ、
この仕切板には、前記電装ボックスが取り付けられ、かつ、前記フィルタ及び前記熱交換ユニットのメンテナンスエリアに対応した位置に開口が設けられ、
この開口には、当該開口を閉じる内蓋が設けられていることを特徴とする請求項１乃至４のいずれかに記載の空気調和機。
【発明の詳細な説明】
【０００１】
【発明の属する技術分野】
本発明は、空気調和機に関する。
【０００２】
【従来の技術】
一般に、建屋の天井空間に設置され、略箱形の筐体内に送風ユニットと熱交換ユニット等を収容し、吸出ダクトが延設されたビルトイン型空気調和機が知られている。このようなビルトイン型空気調和機では、室内熱交換器にて熱交換された空気を、吹出ダクトを介して室内の適宜位置へ導き室内に吹き出すことができるので、室内の美観を損なうことなく最適な空気調和を実現できる（例えば、特許文献１参照）。
【０００３】
【特許文献１】
特開２０００−２４９３６４号公報
【０００４】
【発明が解決しようとする課題】
ところで、天井置き型あるいは床置き型などの空気調和機は、設置後にメンテナンス作業を行う場合は作業者が天井などに移動する必要があるため、メンテナンス性の向上が望まれている。
【０００５】
本発明の目的は、メンテナンス性に優れた空気調和機を提供することを目的としている。
【０００６】
【課題を解決するための手段】
上述課題を解決するため、請求項１に記載の発明は、略箱形の筐体内に、吸入口から吸い込まれた空気の粉塵を捕集するフィルタと、該吸入口から吹出口に向けて空気を流すためのファン及びファンモータを含む送風ユニットと、該空気との間で熱交換を行うための熱交換器、メカ弁及びドレンパンを含む熱交換ユニットと、電装ボックスとを備えた空気調和機において、前記筐体の側板には、前記フィルタ、前記熱交換ユニット及び前記電装ボックスのメンテナンスエリアに対応した位置に開口が設けられ、この開口には、当該開口を閉じる蓋が設けられ、前記筐体の上面には、取り外し可能な天板が設けられ、この天板が開けられると前記送風ユニットのメンテナンスエリアを臨むように構成したことを特徴とする。
【０００７】
また、請求項２に記載の発明は、請求項１に記載の構成において、前記筐体の両端にローラが設けられる一方、前記天板に前記各ローラに嵌る円弧溝が設けられ、前記天板は、いずれか一方の円弧溝側が持ち上げられると、他方の円弧溝側が前記ローラに案内されて開閉されることを特徴とする。
【０００８】
また、請求項３に記載の発明は、請求項１又は２に記載の構成において、前記筐体は、前記側板が取り付けられるフレームを備え、このフレームには、前記フィルタを側方に引き出すための溝が設けられていることを特徴とする。
【０００９】
また、請求項４に記載の発明は、請求項３に記載の構成において、前記フレームには、さらに、前記電装ボックスを側方に引き出すための溝が設けられていることを特徴とする。
【００１０】
また、請求項５に記載の発明は、請求項１乃至４のいずれかに記載の構成において、前記筐体には、前記側板の内側に位置する仕切板が設けられ、この仕切板には、前記電装ボックスが取り付けられ、かつ、前記フィルタ及び前記熱交換ユニットのメンテナンスエリアに対応した位置に開口が設けられ、この開口には、当該開口を閉じる内蓋が設けられていることを特徴とする。
【００１１】
【発明の実施の形態】
以下、図面を参照して本発明の実施形態を詳述する。
【００１２】
図１は、本発明に係る空気調和機が適用されたビルトイン型空気調和機１を示している。図１において、１０は室内ユニットを示している。この室内ユニット１０は、建屋２０の天井に設置され、吸込ダクト１１、吹出ダクト１２及び室外ユニット（不図示）に一端が接続された冷媒配管１３が接続され、吸込ダクト１１を通じて吸い出した空気を、室内ユニット１０内で空気調和した後、吹出ダクト１２を通じて建屋内に供給する。
【００１３】
ここで、図１においては、このビルトイン型空気調和機１を、建屋２０として高速道路の料金所に設置する場合を示している。この場合、室外ユニットは、料金所の上方に一般的に設けられる大型屋根（不図示）の上に設置され、吸込ダクト１１の他端が、この大型屋根の上に設置された新鮮空気導入口（不図示）に接続されるように構成される。また、上記構成では、吹出ダクト１２を通じて吹き出した空気は、消音チャンバーボックス１４を介して建屋２０内の空調ダクト１５に供給されるように構成されている。
【００１４】
この空調ダクト１５には、高さが異なる位置に開閉式の吹出口１６、１７が設けられ、冷房運転の場合は上方の吹出口１６を開け、暖房運転の場合は下方の吹出口１７を開けることによって、建屋２０内を快適な環境に調整できるようになっている。なお、このビルトイン型空気調和機１を、料金所以外の建屋２０に設置する場合などは、室内ユニット１０に一端が接続された吸込ダクト１１の他端を建屋２０の天井に接続して建屋２０内の空気を吸い込むように構成してもよく、上記構成に限定されない。
【００１５】
次いで、室内ユニット１０について説明する。
【００１６】
図２は、室内ユニット１０を周辺構成と共に示す上面図であり、図３は、図２のＩ−Ｉ断面を示す図である。
【００１７】
図２及び図３に示すように、室内ユニット１０は、互いに対向配置された四角枠形状に立設された４枚の側板３０ａ、３０ｂ、３０ｃ、３０ｄの下部に底板３１が設けられ、これら側板３０ａ〜３０ｄの上部に天板３２が設けられた略箱形の筐体３０を備え、この筐体３０内に、フィルタ３５、送風ユニット３６、熱交換ユニット３７及び電装ボックス３８が収容されて構成される。なお、この側板３０ａ〜３０ｄ及び天板３２は、当該室内ユニット１０内に風雨が侵入しないようにするためのものである。
【００１８】
詳述すると、この筐体３０においては、側板３０ｃに、吸込口３９が設けられ、この吸込口３９に上記吸込ダクト１１が接続される。また、この側板３０ｃに対向する側板３０ａに、吹出口４０が設けられ、この吹出口４０に上記吹出ダクト１２が接続される。そして、この吸込口３９から吹出口４０の間の領域に、上記フィルタ３５、送風ユニット３６及び熱交換ユニット３７が順に配設される。
【００１９】
上記フィルタ３５は、吸込口３９から吸い込まれた空気の粉塵を捕集するものである。このフィルタ３５は、図２及び図３に示すように、筐体３０の底板３１に間隔を空けて立設された２つの仕切板４１、４２の間に設けられたフィルタチャンバー（不図示）に取り付けられ、この筐体３０内に吸い込まれた空気の粉塵を捕集する。なお、この仕切板４１及び４２は、この室内ユニット１０内に空気が通る閉空間（いわゆる風路）を形成するために設けられるものである。
【００２０】
また、送風ユニット３６は、シロッコファン４４やファンモータ４５などを備え、筐体３０の底板３１の上記仕切板４１、４２の間の領域であって、上記フィルタ３５よりも吹出口４０側に配設される。このファンモータ４５は、電装ボックス３８内に設けられた基板上の制御回路によって運転制御され、このファンモータ４５によってシロッコファン４４が回転されて吸込口３９から吹出口４０に向けて空気を流すように構成されている。
【００２１】
熱交換ユニット３７は、筐体３０の底板３１の上記仕切板４１、４２の間の領域であって、上記送風ユニット３６よりも吹出口４０側に配設される。この熱交換ユニット３７は、上記仕切板４１、４２の間に配置された熱交換器４６、この熱交換器４６と上記冷媒配管１３とをつなぐ配管４７、これら配管４７の途中に設けられ、熱交換器４６への冷媒流量を調整するメカ弁（不図示）、上記熱交換器４６の結露水が貯まるドレンパン（不図示）などを備えている。この熱交換ユニット３７は、熱交換器４６によって筐体３０内に吸い込まれた空気の冷却又は加熱を行う。
【００２２】
電装ボックス３８は、上記熱交換ユニット３７の配管４７が通る仕切板４２に取り付けられている。この電装ボックス３８は、略直方体形状を呈し、その内部に、図示を省略した制御基板及び端子板等を備えて構成され、この制御基板又は端子板に、上記ファンモータ４５、上記メカ弁、図示を省略したドレンポンプ、フロートスイッチ、電子制御弁、各種センサ等からの配線が接続される。
【００２３】
図４は、室内ユニット１０の側面図である。図４に示すように、このビルトイン型空気調和機１では、天板３２が開閉可能に構成されている。詳述すると、筐体３０の対向する側板３０ｂ、３０ｃの両端には、ローラ５０が設けられ、天板３２には、各ローラ５０に嵌る円弧溝３２Ａが形成される。これによって、天板３２のいずれか一方の円弧溝３２Ａ側が持ち上げられると、天板３２の他方の円弧溝３２Ａがローラ５０に案内されて、天板３２が開閉する。
【００２４】
このように、筐体３０の両端に設けたローラ５０によって天板３２を両端のいずれの側からも開閉可能に構成したことにより、天板３２を小さい力で開閉でき、作業員は、任意の方向から天板３２を開けて、上記送風ユニット３６や熱交換器４６の点検、交換などのメンテナンス作業を簡易に行うことができる。
【００２５】
また、このビルトイン型空気調和機１では、図４に示すように、側板３０ｄには、上記フィルタ３５、上記電装ボックス３８及び上記熱交換ユニット３７に対応する位置にメンテナンス用の開口５５、５８、５７が設けられ、各開口５５〜５８には、当該開口を閉じる蓋（不図示）がねじなどで固定されるようになっている。さらに、この側板３０ｄの内側に位置する仕切板４２についても、図３に示すように、フィルタ３５及び熱交換ユニット３７に対応する位置にメンテナンス用の開口６５、６６が設けられ、各開口６５、６６には、当該開口を閉じる蓋７５、７６（内蓋）がそれぞれ設けられるようになっている。
【００２６】
これによって、上記側板３０ｄの各開口５５、５７及び５８の蓋と、仕切板４２の各開口６５、６６の蓋７６、７７とを開けることによって、作業員は、フィルタ３５、電装ボックス３８又は熱交換ユニット３７の点検、交換などのメンテナンス作業を行うことができる。このように、側板３０ｄに、フィルタ３５、電装ボックス３８及び熱交換ユニット３７のメンテナンスエリアを望む開口５５、５７及び５８を設けることによって、作業員は、室内ユニット１０の側方からフィルタ３５、電装ボックス３８及び熱交換ユニット３７のメンテナンス作業を簡易に行うことができる。
【００２７】
また、筐体３０においては、図４に示すように、側板３０ｄの上縁及び下縁に沿ってフレーム８０が設けられ、このフレーム８０の内側に上記側板３０ｄが固定されるように構成されている。このフレーム８０は、側板３０ｄの開口５５及び５８に対応する部分の幅が狭く形成される一方、これら開口５５及び５８を除く部分が幅広に形成される。つまり、このフレーム８０には、各開口５５及び５８を避けるように溝８０ａが形成されるので、このフレーム８０が上記開口５５及び５８を遮ることがない。これにより、上記フィルタ３５及び電装ボックス３８を上記開口５５及び５８から側方にそのまま引き出すことができる。また、フレーム８０は、これら開口５５及び５８を除く部分が幅広に形成されるので、このフレーム８０によって筐体３０の強度を充分に高く維持することができる。
【００２８】
以上説明したように、本実施形態では、室内ユニット１０の筐体３０の側板３０ｄに、フィルタ３５、電装ボックス３８及び熱交換ユニット３７のメンテナンスエリアを望む開口５５、５７及び５８を設ける共に、筐体３０の天板３２を開閉可能に構成して送風ユニット３６のメンテナンスエリアを臨むようにしたことにより、室内ユニット１０のメンテナンス性を向上することができる。また、この室内ユニット１０は側方及び上方の複数の方向からメンテナンスを行うことができるため、天井に設置する必要は必ずしも無く、場合によっては床などに設置することが可能である。
【００２９】
以上、一実施形態に基づいて本発明を説明したが、本発明は、これに限定されるものではなく、種々変更が可能である。例えば、上記実施形態では、側板３０ｄに、フィルタ３５、電装ボックス３８及び熱交換ユニット３７のメンテナンスエリアを望む開口５５、５７及び５８を設ける場合について述べたが、この側板３０ｄに対向する側板３０ｂにも、上記開口５５、５７及び５８を設けるようにしてもよい。
【００３０】
また、側板３０ｄ又は３０ｂに、上記開口５５、５７及び５８を別々に設ける必要は必ずしも無く、これら開口５５、５７及び５８を包含する１つの開口を設けるようにしてもよく、また、これら開口５５、５７及び５８のうちのいずれか１つ以上の開口だけを設けるようにしてもよい。要は、筐体３０の側方、上方などの複数の方向から上記フィルタ３５などのメンテナンス作業を行えるようにすればよい。
【００３１】
また、上記実施形態では、ビルトイン型空気調和機に本発明を適用する場合について述べたが、ビルトイン型空気調和機以外の空気調和機に適用してもよい。
【００３２】
【発明の効果】
上述したように本発明は、メンテナンス性に優れた空気調和機を提供することができる。
【図面の簡単な説明】
【図１】本発明に係る空気調和機が適用されたビルトイン型空気調和機を示す図である。
【図２】同ビルトイン型空気調和機の室内ユニットを周辺構成と共に示す上面図である。
【図３】図２のＩ−Ｉ断面を示す図である。
【図４】
同室内ユニットの側面図である。
【符号の説明】
１  ビルトイン型空気調和機（空気調和機）
３０  筐体
３０ａ〜３０ｄ  側板
３１  底板
３２  天板
３２Ａ  円弧溝
３５  フィルタ
３６  送風ユニット
３７  熱交換ユニット
３８  電装ボックス
４１、４２  仕切板
４４  シロッコファン
４５  ファンモータ
５０  ローラ
５５、５７、５８、６５、６６  開口
７５、７６  蓋
８０  フレーム
８０ａ  溝
【図１】
2004301424.tif 000003
【図２】
2004301424.tif 000004
【図３】
2004301424.tif 000005
【図４】
2004301424.tif 000006